(57)【要約】      （修正有）【課題】眼鏡の掛け外しが簡便にできる構造の眼鏡テンプルを提供する。【解決手段】眼鏡テンプルは、本体部の中間に第一耳掛け部位（５）と、その後方に側面から見てＵ字形の第二耳掛け部位（６）とを備える。眼鏡の耳掛け位置は、第一耳掛け部位（５）と第二耳掛け部位（６）との間で使用目的に応じて相互にスライド移動させることができる。第二耳掛け部位（６）で耳に掛けたまま顎の下にぶら下げ眼鏡を保持でき、眼鏡の掛け外しが簡便にできる。【選択図】図１
2018205530.tif 000002
【特許請求の範囲】
【請求項１】
本体部に第一耳掛け部位（５）と、その後方に接続して第二耳掛け部位（６）とを備えることを特徴とする眼鏡テンプル
【請求項２】
前記第一耳掛け部位（５）にモダンを設け、本体部の軸方向に沿って抜け落ちないようにモダンの装着位置をスライド調節可能であることを特徴とする請求項1記載の眼鏡テンプル
【請求項３】
前記第二耳掛け部位（６）は、第一耳掛け部位（５）に対して着脱可能であることを特徴とする請求項１記載の眼鏡テンプル
【請求項４】
前記第二耳掛け部位（６）の形状は、側面から見てＵ字形又はＬ字形であることを特徴とする請求項１記載の眼鏡テンプル
【発明の詳細な説明】
【技術分野】
【０００１】
本発明は、眼鏡の掛け外しが便利にできる眼鏡テンプルに関するものである。
【０００２】
この種の眼鏡テンプルは、公知のものは見当たらないが、若干参考になるもの（特許文献１）は、眼鏡のずり落ちを防ぐ構造になっている。
【０００３】
最近、眼鏡の掛け外しが便利にできるとして首掛け眼鏡を開発、商品化されているが、利用者の評価では、眼鏡の掛け外しが面倒で煩わしさを感じ、また、眼鏡テンプル等の耐久性に弱点があり買替費用がかさむ等の問題点が指摘されている。
【０００４】
例えば、老眼の人が会議に臨んでノートを取るときは老眼鏡を掛け、ホワイトボードを見るときは眼鏡を外す動作をその都度繰り返す煩わしさは払拭できていない。眼鏡を首に掛けた状態のとき、小さな文字を「ちょっと見たい。」場合でも、首から外して掛け直し、見終えると首掛け状態に戻さなければならない。
【先行技術文献】
【特許文献】
【０００５】
【特許文献１】特開２００２−２７７８３８号公報
【発明の概要】
【発明が解決しようとする課題】
【０００６】
眼鏡の掛け外しが便利にできる首掛け眼鏡には、次の問題点があった。
１  眼鏡を掛けたり、外して首掛け状態を繰り返すのは面倒で煩わしさがある。
２  眼鏡を首に掛けた状態のとき、小さな文字を「ちょっと見たい。」だけでも、外して掛け直さなければならない。
３  眼鏡を首に掛けた状態のまま、眼鏡フロント枠を目の位置まで持ち上げることができれば「ちょっと見たい。」ときには簡便であるが、構造上そのようなことはできない。
４  眼鏡テンプル等の耐久性に弱点があり、眼鏡の買替費用が不経済となる。
５  眼鏡の形状から、折りたたんでケースに収納して携帯することができないものがある。
【０００７】
本発明は、上記の各問題点を解決し、眼鏡の掛け外しが簡便にできる構造
の眼鏡テンプルを提供することにある。
【課題を解決するための手段】
【０００８】
本発明は、上記の各問題点を解決し、眼鏡の掛け外しが簡単、迅速にでき
るようにするため耳掛け部位を二カ所設けた構造の眼鏡テンプルを提供する
ことにある。
【０００９】
本発明に係る眼鏡テンプルは、本体部に第一耳掛け部位（５）と、その後
方に接続して第二耳掛け部位（６）とを備えることを特徴とする。
【００１０】
前記第一耳掛け部位（５）にモダンを設け、本体部の軸方向に沿って抜け
落ちないように眼鏡使用者の意向に応じてモダンの装着位置をスライド調節
可能であることを特徴とする眼鏡テンプル
【００１１】
前記第二耳掛け部位（６）は、第一耳掛け部位（５）に対して着脱可能で
あることを特徴とする眼鏡テンプル
【００１２】
前記第二耳掛け部位（６）の形状は、側面から見てU字形又はL字形であ
ることを特徴とする眼鏡テンプル
【発明の効果】
【００１３】
眼鏡を掛けて見るには第一耳掛け部位（５）で耳に掛けるが、眼鏡を掛け
ているとき、一時的に眼鏡を外して裸眼で見る必要が生じた場合、眼鏡を掛
けている位置を、第一耳掛け部位（５）から第二耳掛け部位（６）にスライ
ドでき、第二耳掛け部位（６）で耳に掛けたまま眼鏡を下方へ垂らすと、顎
の下にぶら下げた状態で安定的に保持することができる（図５、図６）。
【００１４】
特筆すべきは、第二耳掛け部位（６）で眼鏡を耳に掛け顎の下にぶら下げ
た状態で小さな文字を「ちょっと見をする。」必要のとき、眼鏡フロント枠を
目の位置まで持ち上げるのみで見ることができとても簡便である。
【００１５】
さらに、眼鏡テンプルの形状から耳飾り的な装飾の展開が一段と広がる。
【００１６】
以上の眼鏡テンプルは、構造が簡素で製造コストも安価であり、裸眼で見
るとき、眼鏡を外すことなく第二耳掛け部位（６）で耳に掛けておくことが
でき、眼鏡を置き忘れて探すこともなく能率的、経済的である。
【００１７】
さらに、眼鏡の形状から、折りたたんでケースに収納し携帯することがで
き、また、第二耳掛け部位（６）がＵ字状の場合は、胸のポケットに引っ掛
け吊すこともできる。
【図面の簡単な説明】
【００１８】
【図１】本発明に係る眼鏡テンプル実施例１の斜視図である。
【図２】本発明に係る眼鏡テンプル実施例２の斜視図である。
【図３】本発明に係る眼鏡テンプル実施例３の斜視図である。
【図４】図３における眼鏡テンプル「パーツ」の側面図である。
【図５】本発明に係る眼鏡テンプル（図２）装着の正面図である。
【図６】本発明に係る眼鏡テンプル（図２）装着の側面図である。
【発明を実施するための形態】
【００１９】
図１ないし図４は本発明に係る眼鏡テンプルの実施例を示す。
【実施例１】
【００２０】
図１において眼鏡テンプルは、本体部の中間にモダン（４a）を装着した第一耳掛け部位（５）と末端に第二耳掛け部位（６）とを備える。
【００２１】
第一耳掛け部位（５）のモダン（４a）は、本体部の軸方向に沿って抜け落ちないように眼鏡使用者の意向に応じてスライド調節可能に設ける。
【００２２】
本体部の先端に設置している蝶番（２）を起点とした場合、第一耳掛け部位（５）までの間は顔面に安定的に眼鏡を装着する長さである１０センチメートル、その後方の第二耳掛け部位（６）までの間の長さは１６センチメートルとする。
【００２３】
第二耳掛け部位（６）の形状は、耳に眼鏡を掛けたまま外れないよう顎の下にぶら下げることができるように側面から見てＵ字形に設ける。眼鏡の耳掛け位置は、第一耳掛け部位（５）と第二耳掛け部位（６）との間で使用目的に応じて相互にスライド移動させることができる。
【実施例２】
【００２４】
図２において眼鏡テンプルは、本体部の中間に第一耳掛け部位（５）と、末端に第二耳掛け部位（６）とを備える。
【００２５】
第一耳掛け部位（５）は、側面から見て「ヘ」の字形の形状で設け、モダン（４a）を装着する。
【００２６】
本体部の先端に設置している蝶番（２）を起点とした場合、第一耳掛け部位（５）までの間は顔面に安定的に眼鏡を装着する長さである１０センチメートル、その後方の第二耳掛け部位（６）までの間の長さは１６センチメートルとする。
【００２７】
第二耳掛け部位（６）の形状は、耳に眼鏡を掛けたまま外れないよう顎の下にぶら下げることができるように側面から見てＵ字形に設ける。
【００２８】
図２の眼鏡テンプルを装着した眼鏡を掛けた図は、図５、図６である。眼鏡を第二耳掛け部位（６）で耳に掛ける簡単な操作で、顎の下にぶら下げた状態として安定的に保持することができる。眼鏡の耳掛け位置は、第一耳掛け部位（５）と第二耳掛け部位（６）との間で使用目的に応じて相互にスライド移動させることができる。
【実施例３】
【００２９】
図３において眼鏡テンプルは、本体部の中間に第一耳掛け部位（５）と末端に第二耳掛け部位を備える。
【００３０】
第一耳掛け部位（５）の形状は、側面から見て「ヘ」の字形に設ける。
【００３１】
第一耳掛け部位（５）の末端から手前４ミリメートルの位置に直径２ミリメートルの貫通孔（８）設け、図４の「パーツ」を貫通孔（８）において着脱可能に設け、「パーツ」を着けて第二耳掛け部位（６）を備える。
【００３２】
図４の「パーツ」の着脱方法は、第一耳掛け部位（５）の貫通孔（８）へ「パーツ」の貫通孔（８）への取り付け部位（９）を差し込み、あるいは引き抜く。
【００３３】
「パーツ」の貫通孔（８）への取り付け部位（９）の形状は、鈎型に設ける。
【００３４】
本体部の先端に設置している蝶番（２）を起点とした場合、第一耳掛け部位（５）までの間は顔面に安定的に眼鏡を装着する長さである１０センチメートル、その後方の第二耳掛け部位（６）までの間の長さは１６センチメートルとする。
【００３５】
第二耳掛け部位（６）の形状は、耳に眼鏡を掛けたまま外れないよう顎の下にぶら下げることができるように側面から見てＵ字形に設ける。眼鏡の耳掛け位置は、第一耳掛け部位（５）と第二耳掛け部位（６）との間で使用目的に応じて相互にスライド移動させることができる。
【符号の説明】
【００３６】
１   テンプル本体
２   蝶番
３a  本体部先端から第一耳掛け部位（５）までの間のテンプル
３b  第一耳掛け部位（５）から本体部末端までの間のテンプル
４a  第一耳掛け部位（５）に装着しているモダン
４b  第二耳掛け部位（６）に装着しているモダン
５   第一耳掛け部位
６   第二耳掛け部位
７   フロント枠  
８   貫通孔
９   貫通孔（８）への取り付け部位
10  「パーツ」本体  
【図１】
2018205530.tif 000003
【図２】
2018205530.tif 000004
【図３】
2018205530.tif 000005
【図４】
2018205530.tif 000006
【図５】
2018205530.tif 000007
【図６】
2018205530.tif 000008